(57)【要約】【課題】従来、スプーン型ルアーの動きは、金属製であるが為に、自然な動きで泳がすことに限界があった。スプーン型ルアーに接続することにより、あたかも生物が動くように泳ぎ、集魚効果とヒット率に優れる釣り針を提供するものである。【解決手段】スプリットリング６を介してスプーン５に連結される釣り針のアイ１付近の軸３に、スプーン５の動きを妨げない流線型で軽量な材質で形成されたボディー２を装着したことを特徴とするスプーン型ルアーの釣り針。【選択図】図１
2015164412.tif 000002
【特許請求の範囲】
【請求項１】
アイ（１）付近の軸（２）に、スプーンの動きを妨げない軽量材質で形成されたボディー（２）を装着したことを特徴とするスプーン型ルアー用の釣り針。
【請求項２】
スプーン（５）に合わせて彩色やデザインされたことを特徴とする請求項１のスプーン型ルアー用の釣り針。
【発明の詳細な説明】
【技術分野】
【０００１】  本発明は、魚釣りに用いる金属製スプーン型ルアーの釣り針に関するものである。
【背景技術】
【０００２】  釣りに用いられる釣り針には様々な形態があるが、スプーンのような形状の金属製ルアーの釣り針を背景技術とする。【０００３】  この金属製スプーン型ルアーの特徴は、水中で水の抵抗を受けることにより、ひらひらと泳動したり、光を反射させたりして、魚の興味を誘う仕組みである。【０００４】  この金属製スプーン型ルアーに用いる釣り針は、通常、スプーン本体の動きを妨げる流水抵抗が無いように、スプリットリングを介してスプーンに連結されるアイ部分から針先まで付帯するものは何もなく、形状は必然的にシンプルなものとなっている。【０００５】  しかし、一般的ではないが、魚へのアピール力を高めるために、あえて、釣り針にフェザーやチューブを取りつけた釣り針が流通している。これらの釣り針は、魚の威嚇行為や反射喰いを狙ったもので、魚を引きつける力は大きいのだが、魚の食性に訴えるものではないので、継続的に釣れ続けることがないという欠点がある。【０００６】  金属製スプーン型ルアーの釣りとは異なった釣法（仕掛け）の釣り針の特許文献として、釣り針に発泡材を取り付けて浮力を与える事例が開示されている。サビキ釣りと呼ばれる釣法に用いられる、釣り針に発泡材を取り付けて水中を漂うプランクトンに見立てる釣り用仕掛けが開示されている（特許文献１）。また、フライフィッシングと呼ばれる釣法に用いられる、水面に浮かべる目的で釣り針に発泡材を取り付けた毛針累材が開示されている（特許文献２）。また、ワームフィッシング（ワームと呼ばれる軟質ルアーを疑似餌に見立てる）と呼ばれる釣法に用いられる、釣り針に発泡材を取り付けてゆっくりと沈下させる目的の浮子物付き釣り針が開示されている（特許文献３）。
【先行技術文献】
【特許文献】
【０００７】
【特許文献１】登録実用新案第３０４８２９１号公報
【特許文献２】特開平１１−２７６０２３号公報
【特許文献３】登録実用新案第３０５００２９号公報
【発明の概要】
【発明が解決しようとする課題】
【０００８】  上記各特許文献１、２、３に記載された発泡材を取り付けた釣り針は、流れの中で自然に漂わせるのが目的であり、左右方向に揺動するような動きを得ることはできなかった。【０００９】  スプーン型ルアーの動きには、金属製であるが為に、その動作には限界があり、魚の食性に訴えるような、あたかも生物が動くような、自然な動きで泳がすことは難しかった。【００１０】  スプーン型ルアーは、様々な状況に応じて、多くの種類を準備する必要があった。
本発明は、以上の問題点を解決するためになされたものである。
【課題を解決するための手段】
【００１１】  スプリットリング（６）を介してスプーン（５）に連結される釣り針のアイ（１）付近の軸（３）に、スプーンの動きを妨げないプラスチック材などの軽量材質で形成されたボディー（２）を装着したことを特徴とするスプーン型ルアー用の釣り針。【００１２】  このボディー（２）はスプーン（５）からのシルエットを損なわないようにアイ（１）付近を大きくして、針先（４）に向けて小さくなる瓢箪型やナツメ型などの形態にしたことを特徴とする。【００１３】  このボディー（２）はスプーン（５）に合わせて彩色や配色をしたことを特徴とする。
【発明の効果】
【００１４】  従来のスプーン型ルアーは、水中で水の抵抗を受けることにより、ひらひらとスプーン本体が泳動することを魚へのアピールとしていたが、本発明の釣り針を装着したスプーンであれば、スプーン本体の動きに加え、釣り針のボディー部が追随する動作が新たに見られることになります。これにより、スプーン本体に対する釣り針のボディー部の左右揺動を促して、蛇行したアクションが形成できます。これは、あたかも生物が動くように、スプーンを自然な動きで泳がすことが可能であり、弱った小魚や流され水中でもがく昆虫を表現して、これまでのスプーン型のルアーの特徴であった魚の威嚇行為や反射喰いを狙う一時的な魚へのアピールではなく、魚の食性に訴えることで、魚への誘因効果が大きく、継続的な集魚とヒット率に優れたものとなる。【００１５】  本発明の釣り針のボディーは、形状と色との組み合わせで、様々なバリエーションをもつことが可能です。１つのスプーンでも組み合わせにより、多数の表現を持たせることができ、釣りの戦略を楽しむことが可能となります。
【図面の簡単な説明】
【００１６】
【図１】本発明の斜視図
【図２】本発明とスプーンを連結させた斜視図
【図３】図２の平面図
【図４】図２の側面図
【図５】本発明のボディーを瓢箪型からナツメ型に変更した一例を示す斜視図
【図６】本発明の動作図
【発明を実施するための形態】
【００１７】  以下、本発明の実施の形態を説明する。
（イ）図１に示すように、釣り針のアイ（１）寄りの軸（３）部に流線型で軽量なボディ      ー（２）を装着する。
（ロ）図２に示すように、本発明の釣り針は、スプリットリング（６）を介してスプーン      （５）に接続してルアーフィッシングに使用される。
（ハ）釣り針がスプーン（５）によって左右方向に揺動するのを魚に目立たせる為にボデ      ィー（２）が設置されているのだが、スプーン（５）の動作の抵抗となり動きを妨      げない為にも、ボディー（２）の形状は、抵抗の少ない流線型として、尚且つ、軽      量であることを特徴とする。
（ニ）例えば、ボディー（２）の形状は図１に示す瓢箪型のみならず図５に示すようにナ      ツメ型であったり、球状や楕円球状であったりしてもよい。また、ボディー（２）      は、針先（４）に向かい形状を小さくしていくことが望ましく、小魚の尾、昆虫の      足や尻尾などを表現している。
（ホ）さらに、ボディー（２）は、軽量材質であることを特徴とする為に、プラスチック      材、発泡材、バルサ材などにより形成される。また、ボディー（２）は、スプーン      （５）に合わせて彩色が施されている。
（ヘ）尚、針の軸（２）部は、ボディー（２）を装着する為に、一般的な釣り針よりも長      く延長しており、ボディー（２）が針先（４）に魚が掛かることを邪魔しないよう      にしている。
本発明は以上のような構造である。
【００１８】  本発明を使用するときは、スプーン（５）にスプリットリング（６）を介して接続します。
釣り糸（７）に結ばれたこのスプーン（５）をキャスティングして、リールで巻き取りを開始すると、スプーン（５）の凹部（８）に入る水流と反対側の凸部（９）に当たる水流の違いにより、スプーン（５）は左右に揺動する。このスプーン（５）にスプリットリング（６）を介して連結された本発明の針は、スプーン（５）に追随するように、左右にクネクネと大きなアクションを見せて、あたかも生物が動くような自然な動きで魚に対して強くアピールします。
本発明のようなボディー（２）を装着しない一般的な釣り針であれば、釣り針の動きは魚に対してアピールされることは殆んど無く、スプーン（５）の左右の揺動のみで魚を誘うのだが、図６に示すように、本発明の釣り針であれば、スプーン（５）の揺動のみならず、ボディー（２）がスプーン（５）に対して相対的な揺動を加えることで、小魚が蛇行して腰をくねらす様子や水に流された昆虫類が足や尻尾をバタつかせもがく様子を演出できます。これは単なる魚の威嚇行為や反射食いを誘うのではなく、より生命感溢れる動きで、魚の食性に対しても働きかけて、釣果の大幅な向上を継続的に図ることを可能としています。
さらに、ボディー（２）の色彩や形状などのデザインを多数取り揃えることにより、スプーン（５）との組み合わせで様々な状況に応じて変化させる楽しみを体感できます。
【符号の説明】
【００１９】  １アイ、２ボディー、３軸、４針先、５スプーン、６スプリットリング、７釣り糸
８凹部、９凸部
【図１】
2015164412.tif 000003
【図２】
2015164412.tif 000004
【図３】
2015164412.tif 000005
【図４】
2015164412.tif 000006
【図５】
2015164412.tif 000007
【図６】
2015164412.tif 000008